【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
投影スクリーン装置を構築する方法であって、
投影スクリーンと、少なくとも２つの同一のフレームモジュールを含む複数のフレームモジュールとを提供することと、
少なくとも１つの同一のフレームモジュールを含む前記複数のフレームモジュールで投影スクリーン枠体を構築することと、
前記投影スクリーンを前記投影スクリーン枠体で支持することと、
少なくとも１つの同一のフレームモジュールを含む前記複数のフレームモジュールで少なくとも１つの脚部を構築することと、
前記投影スクリーン枠体を前記少なくとも１つの脚部で支持することとを含む、方法。
【請求項２】
請求項１に記載の方法であって、
前記複数のフレームモジュールは弾性足部を含み、
前記投影スクリーン枠体を支持することにより、前記少なくとも１つの脚部の構築に用いられるフレームモジュールの前記弾性足部のうち少なくとも１つは地面に接し、前記投影スクリーン枠体の構築に用いられるフレームモジュールの前記弾性足部のうちの少なくとも１つは地面から離間する、方法。
【請求項３】
請求項１に記載の方法であって、
前記投影スクリーンは複数のコネクタを含み、前記複数のフレームモジュールは前記投影スクリーンの前記複数のコネクタと結合するよう構成された複数のフレームモジュールを含み、
前記投影スクリーンを支持することにより、前記投影スクリーンの前記コネクタは前記投影スクリーン枠体を構築するのに使用される複数のフレームモジュールの前記コネクタに結合され、前記投影スクリーンの使用中、前記少なくとも１つの脚部を構築するのに用いられる前記複数のフレームモジュールの前記コネクタは前記投影スクリーンの前記コネクタから離間する、方法。
【請求項４】
請求項１に記載の方法であって、
前記同一のフレームモジュールのうちの少なくとも１つは、前記投影スクリーン装置の使用中、垂直方向に延在し、前記同一のフレームモジュールのうちの少なくとも１つは、前記投影スクリーン装置の使用中、前記投影スクリーンのビュー面に対して法線方向に延在する、方法。
【請求項５】
投影スクリーン装置であって、
投影スクリーン上に投射された像を表示するよう構成された投影スクリーンと、
前記投影スクリーンを支持する投影スクリーン枠体と、
前記投影スクリーン枠体を地面の上で支持する少なくとも１つの脚部と、
前記少なくとも１つの脚部を前記投影スクリーン枠体に結合する少なくとも１つのコネクタとを含み、前記脚部の外側面および前記コネクタの面のうちの少なくとも１つは、溝及び前記溝に受容される歯を含む接合部を画成する、投影スクリーン装置。
【請求項６】
請求項５に記載の投影スクリーン装置であって、前記少なくとも１つのコネクタは、ベースおよび前記ベースに旋回可能に結合された少なくとも１つのアーム部を含む、投影スクリーン装置。
【請求項７】
請求項６に記載の投影スクリーン装置であって、前記アームは、前記溝および前記歯のうちの少なくとも１つを含む、投影スクリーン装置。
【請求項８】
請求項５に記載の投影スクリーン装置であって、前記コネクタは、前記投影スクリーン枠体の一部および前記脚部の一部を受容する、投影スクリーン装置。
【請求項９】
請求項５に記載の投影スクリーン装置であって、前記コネクタは、前記歯を前記溝の中へ引き込む圧縮部材を含む、投影スクリーン装置。
【請求項１０】
投影スクリーン装置であって、
投影スクリーン上に投射された像を表示するよう構成された投影スクリーンと、
前記投影スクリーンを支持する投影スクリーン枠体と、
前記投影スクリーン枠体を地面の上に支持する少なくとも１つの脚部と、
前記少なくとも１つの脚部を前記投影スクリーン枠体に結合する少なくとも１つのコネクタとを含み、前記コネクタは、前記少なくとも１つの脚部の少なくとも一部に巻き付く、投影スクリーン装置。
【請求項１１】
請求項１０に記載の投影スクリーン装置であって、前記少なくとも１つのコネクタは、前記投影スクリーン枠体の少なくとも一部に巻き付く、投影スクリーン装置。
【請求項１２】
請求項１０に記載の投影スクリーン装置であって、前記少なくとも１つのコネクタは、ベースおよび前記ベースに旋回可能に結合された一対のアーム部を含む、投影スクリーン装置。
【請求項１３】
請求項１０に記載の投影スクリーン装置であって、前記少なくとも１つの脚部と前記投影スクリーン枠体の間に弾性パッドが配置される、投影スクリーン装置。
【請求項１４】
請求項１０に記載の投影スクリーン装置であって、前記コネクタは、前記少なくとも１つの脚部と投影スクリーン枠体を互いに引きつける圧縮部材を含む、投影スクリーン装置。
【請求項１５】
投影スクリーン装置であって、
投影スクリーン上に投射される像を表示するよう構成された投影スクリーンと、
前記投影スクリーンを支持する投影スクリーン枠体と、
前記投影スクリーン枠体を地面の上に支持する少なくとも１つの脚部と、
ベースおよび一対のアーム部を有する少なくとも１つのコネクタとを含み、
前記ベースは、前記投影スクリーン枠体および前記脚部のうちの少なくとも１つの一部を受容し、前記一対のアーム部は、前記投影スクリーン枠体および前記脚部のうちの他方を前記アーム部の間に受容するよう協働する、投影スクリーン装置。
【請求項１６】
請求項１５に記載の投影スクリーン装置であって、前記投影スクリーン枠体は、その投影スクリーンを垂直使用位置に支持し、前記アーム部のうちの１つの少なくとも一部は、他方のアーム部の上に配置される、投影スクリーン装置。
【請求項１７】
請求項１５に記載の投影スクリーン装置であって、前記アームは、前記ベースに旋回可能に結合される、投影スクリーン装置。
【請求項１８】
請求項１５に記載の投影スクリーン装置であって、前記アームのうち少なくとも１つの少なくとも一部は、前記投影スクリーンと前記投影スクリーン枠体の間に配置される、投影スクリーン装置。
【請求項１９】
請求項１５に記載の投影スクリーン装置であって、前記アームの少なくとも一部は、前記投影スクリーン枠体の外部表面によって画成される凹部内に配置される、投影スクリーン装置。
【請求項２０】
投影スクリーン装置であって、
投影スクリーン上に投射される像を表示するよう構成された投影スクリーンと、
前記投影スクリーンを支持する投影スクリーン枠体と、
地面上に前記投影スクリーン枠体を支持する少なくとも１つの脚部とを含み、前記少なくとも１つの脚部は、水平部材および前記水平部材と互いに交換のきく垂直部材を含む複数のフレームモジュールを有する、投影スクリーン装置。
【請求項２１】
請求項２０に記載の投影スクリーン装置であって、前記脚部は、嵌合接続部によって互いに結合される隣接するフレームモジュールによって画成される複数の連結部を含み、前記複数のフレームモジュールの嵌合接続部の総数は、前記連結部の総数の２倍よりも多い、投影スクリーン装置。
【請求項２２】
請求項２０に記載の投影スクリーン装置であって、前記水平部材は、接続部を有する第１の端および前記第１の端と嵌合可能な接続部を有する第２の終端部を含み、前記垂直部材は、前記水平部材の前記第２の終端部と同一の第１の端を含む、投影スクリーン装置。
【請求項２３】
請求項２０に記載の投影スクリーン装置であって、前記水平部材は、
接続部を有する第１の端および前記第１の端と嵌合可能な接続部を有する第２の終端部を含み、前記垂直部材は、前記水平部材の前記第２の終端部と嵌合可能な第１の端を含む、投影スクリーン装置。
【請求項２４】
請求項２０に記載の投影スクリーン装置であって、前記水平部材は、地面の上に支持される少なくとも１つの弾性足部を含み、前記垂直部材は、前記水平部材の前記弾性足部と同一の少なくとも１つの弾性足部を含む、投影スクリーン装置。
【請求項２５】
投影スクリーン装置であって、
前記投影スクリーン上に投射された像を表示するよう構成された投影スクリーンと、
前記投影スクリーンを支持する複数のフレームモジュールを含む投影スクリーン枠体と、
地面に前記投影スクリーン枠体を支持する複数のフレームモジュールを含む少なくとも１つの脚部とを含み、前記少なくとも１つの脚部の前記フレームモジュールのうち少なくとも１つは、前記投影スクリーン枠体の前記複数のフレームモジュールと互いに交換可能である、投影スクリーン装置。
【請求項２６】
請求項２５に記載の投影スクリーン装置であって、前記投影スクリーン枠体の前記複数のフレームモジュールのうち少なくとも１つは、前記脚部の前記複数のフレームモジュールのうち少なくとも１つと同一である、投影スクリーン装置。
【請求項２７】
請求項２５に記載の投影スクリーン装置であって、前記投影スクリーン枠体の前記複数のフレームモジュールは、前記投影スクリーン枠体の隣接するフレームモジュールを互いに結合するよう協働する雄コネクタおよび雌接続を含み、前記脚部の前記複数のフレームモジュールは、前記投影スクリーン枠体の前記複数のフレームモジュールの前記雄コネクタと同一の雄コネクタを含む、投影スクリーン装置。
【請求項２８】
請求項２５に記載の投影スクリーン装置であって、前記投影スクリーン枠体の複数のフレームモジュールの各々は一対のコネクタを含み、前記一対のコネクタの各々は前記投影スクリーン枠体の隣接するフレームモジュールのコネクタに隣接して配置され、前記少なくとも１つの脚部の前記複数のフレームモジュールの各々は、一対のコネクタを含み、前記一対のコネクタのうちの少なくとも１つは、前記少なくとも１つの脚部の前記複数のフレームモジュールの他のコネクタに隣接して配置されていない、投影スクリーン装置。
【請求項２９】
請求項２８に記載の投影スクリーン装置であって、前記投影スクリーンは、複数のコネクタを含み、前記複数のフレームモジュールは前記投影スクリーン枠体の前記複数のコネクタに結合される複数のコネクタを含み、前記脚部の前記複数のフレームモジュールは、前記投影スクリーンのコネクタに結合されるよう構成されたコネクタを含む、投影スクリーン装置。